(57)【要約】【課題】エスカレータの運転中に手摺駆動チェーンの張力を測定することができ、既存のエスカレータにも設置可能なチェーン張力測定装置を提供する。【解決手段】チェーン張力測定装置１００は、２つのスプロケットに巻掛けされて回動するチェーン２２の張力を測定するチェーン張力測定装置１００であって、チェーン２２の張り側におけるチェーン２２の近傍に設置され、チェーン２２の回動によって生じるチェーン２２の振動の振動数（振動周波数）を磁石１１ｂとコイル１１ａとの組み合わせにより検出する検出部１１０と、検出部１１０が検出したチェーン２２の振動数に基づいて、チェーン２２の張力を算出する制御部１１１と、制御部１１１が算出したチェーン２２の張力を記録する記録部１１２を備える。【選択図】図３
2009227363.tif 000002
【特許請求の範囲】
【請求項１】
２つのスプロケットに巻掛けされて回動するチェーンの張力を測定するチェーン張力測定装置であって、
上記チェーンの近傍に設置され、上記チェーンの回動によって生じる上記チェーンの振動の振動数を検出する検出部と、
上記検出部が検出した上記チェーンの振動数に基づいて、上記チェーンの張力を算出する制御部と
を備えたことを特徴とするチェーン張力測定装置。
【請求項２】
上記制御部は、
上記チェーンの単位時間当たりの振動数（ｆ）と、上記チェーンの単位長さ当たりの重さを示すチェーンの密度（ρ）と、上記チェーンの振動する部分の長さ（Ｌ）とを用いて、式Ｔ＝４ｆ２Ｌ２／ρにより上記チェーンの張力（Ｔ）を算出することを特徴とする請求項１に記載のチェーン張力測定装置。
【請求項３】
上記検出部は、
磁石とコイルとの組み合わせにより振動数を検出する
ことを特徴とする請求項１または２に記載のチェーン張力測定装置。
【請求項４】
上記検出部は、
上記チェーンの振動によって上記チェーンが上記コイルとの距離を変えることにより上記コイルに発生する電位に基づいて上記チェーンの振動数を検出する
ことを特徴とする請求項３に記載のチェーン張力測定装置。
【請求項５】
上記チェーン張力測定装置は、さらに、
上記制御部が算出した上記チェーンの張力を記録する記録部を備える
ことを特徴とする請求項１〜４のいずれかに記載のチェーン張力測定装置。
【請求項６】
上記制御部は、
算出した上記チェーンの張力が異常値であるか否かを判定し、異常値である場合には、異常を通知する異常通知信号を出力する
ことを特徴とする請求項１〜５のいずれかに記載のチェーン張力測定装置。
【請求項７】
上記チェーン張力測定装置は、
持ち運び可能であることを特徴とする請求項１〜６のいずれかに記載のチェーン張力測定装置。
【請求項８】
乗客コンベアに使用される２つのスプロケットに巻掛けされて回動するチェーンに対し、請求項１〜７のいずれかに記載のチェーン張力測定装置を用いて、上記チェーンの張力を測定する乗客コンベアのチェーン張力測定方法。
【発明の詳細な説明】
【技術分野】
【０００１】
本発明は、例えば、乗客コンベア（エスカレータ）のチェーン張力測定装置及びチェーン張力測定方法に関する。特に、乗客コンベア（エスカレータ）運転時においてチェーンの張力の測定が可能である乗客コンベアのチェーン張力測定装置に関する。
【背景技術】
【０００２】
乗客コンベア、いわゆるエスカレータは、利用者を乗せた状態で移動するステップ部分と、ステップ部分に沿って、ステップ部分とほぼ同期して移動する手摺部分とから構成される。そして、ステップ部分及び手摺部分とがそれぞれ個別の駆動装置により駆動されている。これらの駆動装置は一般に、モータ等の駆動源が減速装置を介して接続された駆動側スプロケットと、ステップ駆動部や手摺駆動部等に接続された従動側スプロケットと、両スプロケットに巻回されて（巻掛けされて）回動することで動力伝達を行うチェーン等で構成されている。スプロケットとは、チェーンと組み合わせて動力を伝える歯車のことである。
【０００３】
ところで、エスカレータの手摺は手摺駆動装置により駆動されているが、経年劣化や乗客が手で掴むことによる負荷などにより走行抵抗が変化する。走行抵抗が高い状態が続くと手摺の延びや速度の維持に影響を及ぼし、また安全上の問題も考えられる。
【０００４】
このため、手摺の走行抵抗を測定する必要がある。手摺の走行抵抗を測定するためには、手摺を駆動している手摺駆動チェーンの張力を測ることで手摺の抵抗を測定し監視することができる。手摺を駆動している手摺駆動チェーンの張力が高いということは、手摺の走行抵抗が高いことを意味するからである。
【０００５】
従来では、手摺駆動チェーンの移動方向と交差する方向に交差方向に移動調整可能な張力測定用ローラを設け、手摺駆動チェーンの非駆動時（エスカレータの休止時）にのみ、張力測定用ローラを用いて張力測定を行うものがある（特許文献１参照）。
【特許文献１】特開２００５−０２９３６２号公報
【発明の開示】
【発明が解決しようとする課題】
【０００６】
従来技術は、手摺駆動チェーンの非駆動時（エスカレータの停止中）にのみ、張力測定用ローラを用いて手摺駆動チェーンの張力測定を行うものであり、駆動中の手摺駆動チェーンの張力測定を行うものではない。また、エスカレータ運転中の手摺駆動チェーン（チェーン）の張力を測定するには、手摺駆動部（駆動部）の駆動軸部分にねじり力を測定するトルクセンサーを備えるなど、大がかりで高価な方法が必要である。この方法は、新しくエスカレータ等の機器を設置する場合には、設置時に予めトルクセンサー等を備えたチェーン張力測定装置を配置することができるので有効な方法といえるが、既存のエスカレータ等に適用して手摺駆動チェーン（チェーン）等の張力測定を行うには、エスカレータ等の機器の変更部分が多すぎて実質的に不可能な方法である。
【０００７】
本発明は、上記のような課題を解決するためになされたものであり、エスカレータ（乗客コンベア）の運転中に手摺駆動チェーン等のチェーンの張力を測定することのできる装置を提供するとともに、安価で、かつ、既存の乗客コンベア（エスカレータ）等の機器にも設置することが可能な装置を提供することを目的とする。
【課題を解決するための手段】
【０００８】
本発明に係るチェーン張力測定装置は、
２つのスプロケットに巻掛けされて回動するチェーンの張力を測定するチェーン張力測定装置であって、
上記チェーンの近傍に設置され、上記チェーンの回動によって生じる上記チェーンの振動の振動数を検出する検出部と、
上記検出部が検出した上記チェーンの振動数に基づいて、上記チェーンの張力を算出する制御部と
を備えたことを特徴とする。
【発明の効果】
【０００９】
本発明に係るチェーン張力測定装置によれば、チェーンの回動によって生じる振動の振動数を検出する検出部がチェーンの近傍に設置され、制御部が検出部により検出されたチェーンの振動数に基づいて張力を算出するので、チェーンが回動中（駆動中）であってもチェーンの張力を測定することのできるチェーン張力測定装置を提供することができる。
【発明を実施するための最良の形態】
【００１０】
実施の形態１．
図１〜図７を用いて実施の形態１について説明する。図１は、エスカレータ１０（乗客コンベア）の手摺駆動装置１４の概略構造を示す図である。図２は、実施の形態１に係るチェーン張力測定装置１００の設置形態の一例を示す図である。図３は、実施の形態１に係るチェーン張力測定装置１００の機能ブロックを示す機能ブロック図である。図４（ａ）は振動数とチェーン張力の関係を示すグラフ図、図４（ｂ）は振動数とチェーンサイズの関係を示すグラフ図、図４（ｃ）は振動数とチェーンの長さの関係を示すグラフ図である。図５は、実施の形態１に係るチェーン張力測定装置１００の検出部１１０の詳細図である。図６は、実施の形態１に係るチェーン張力測定装置１００の設置位置の一例を示す図である。図７は、実施の形態１に係るチェーン張力測定装置１００の設置位置の一例を示す図である。
【００１１】
図１は、エスカレータ１０（乗客コンベア）の手摺駆動装置の概略構造を示す図である。図１を用いて、エスカレータ１０における手摺１２を駆動するための手摺駆動装置１４の概略構造について説明する。
【００１２】
手摺駆動装置１４は、例えば、エスカレータ１０の上階床面である外装面３０の下部に設置されている機械室２８（上部機械室）に配設されている。手摺駆動装置１４では、三相モータ等の駆動電動機１６が駆動チェーン１８を介して減速機２０の入力側に接続されている。すなわち、駆動チェーン１８は、駆動電動機１６のスプロケット１６ａと、減速機２０のスプロケット２０ａとに巻掛けされて（巻回されて）回動することにより駆動電動機１６からの駆動力を減速機２０に伝達する。
【００１３】
また、減速機２０の出力側は、チェーン２２（手摺駆動チェーンともいう）を介して手摺駆動部２４に接続されている。すなわち、チェーン２２は、減速機２０のスプロケット２０ａと、手摺駆動部２４のスプロケット２４ｂとに巻掛けされ（巻回され）回動することにより、駆動電動機１６から減速機２０に伝達されて減速機２０により減速された駆動力を手摺駆動部２４に伝達する。
【００１４】
手摺駆動部２４は、減速された駆動力が駆動ローラチェーン２４ｃを介して個々に伝達される複数の駆動ローラ２４ａを備えている。複数の駆動ローラ２４ａは、手摺１２の表裏面を挟み込んだ状態で回転駆動することにより、手摺１２を所定速度で所定方向に移動させている。チェーン２２（手摺駆動チェーン）には、当該チェーン２２の移動方向と交差する方向に調整移動可能な中間歯車２６が設けられ、チェーン２２の軌道を適宜移動し、張力測定を行うことにより安定したチェーン駆動を実現できるようにしている。
【００１５】
図２は、実施の形態１に係るチェーン張力測定装置１００の設置形態の一例を示す図である。図２を用いて、実施の形態１に係るチェーン張力測定装置１００の設置形態について説明する。
【００１６】
本実施の形態のチェーン張力測定装置１００は、２つのスプロケットに巻掛けされて回動するチェーンの張力を測定する装置である。２つのスプロケットに巻掛けされて回動するチェーンとは、例えば、図１で説明したチェーン２２（手摺駆動チェーン）や駆動チェーン１８であるが、本実施の形態では、チェーン張力測定装置１００がチェーン２２の張力を測定する場合について説明する。チェーン張力測定装置１００は、エスカレータ１０のチェーン２２の張り側において任意の中間位置に配置される。チェーン張力測定装置１００は、例えば、図１に示すようにチェーン２２における矢印Ａで示す位置に、以下に説明する図２に示すような設置状態でチェーン２２の周辺（近傍）に配置される。
【００１７】
図２では、チェーン張力測定装置１００は、２つのスプロケット３１ａ，３１ｂに巻掛けされて回動するチェーン２２の張力を測定している。スプロケット３１ａが図１におけるスプロケット２０ａに対応し、スプロケット３１ｂが図１におけるスプロケット２４ｂに対応する。チェーン張力測定装置１００は、チェーン２２が駆動する際にチェーンが張る側であるチェーン２２の張り側に設置される。スプロケット３１ａが駆動側のスプロケットであるとすると、スプロケット３１ａがＰ方向に回転（駆動）する場合にチェーン２２のＳ点からＴ点までの間がチェーンの張り側となる。
【００１８】
構造材横部材３２及び構造材縦部材３３（トラス）は、エスカレータ１０を構成する構造材の一部である。チェーン張力測定装置１００は、構造材縦部材３３の所定の箇所に設けられた付け腕３４に設置され、チェーン２２に対して適切な位置に配置される。チェーン張力測定装置１００は、チェーン２２に対して非接触な状態でチェーン２２の張力を測定するものである。測定したいチェーン部分の近傍に固定（設置）して、常時チェーン張力を測定することができればよく、例えば、付け腕３４は、構造材横部材３２の所定の箇所に設けられてもよいし、他の方法で設置しても構わない。また、チェーン張力測定装置１００を持ち運びが容易なポータブル式の装置として構成すれば、チェーン２２の張力を測定する際に、後述するチェーン張力測定装置１００の検出部１１０をチェーン２２の測定したい部分に近づけて必要時に測定するようにできる。
【００１９】
図３は、実施の形態１に係るチェーン張力測定装置１００の機能ブロックを示す機能ブロック図である。図３を用いて、チェーン張力測定装置１００の機能について説明する。
【００２０】
チェーン張力測定装置１００は、チェーン２２の近傍に設置され、チェーン２２の回動によって生じるチェーン２２の振動の振動数を検出する検出部１１０と、検出部１１０が検出したチェーン２２の振動数に基づいて、チェーン２２の張力を算出する制御部１１１と、制御部１１１が算出したチェーン２２の張力を記録する記録部１１２とを備えている。ここで、振動数とは、単位時間当たりのチェーンの振動する回数（すなわち、振動周波数）を意味する。
【００２１】
検出部１１０は、チェーン２２の近傍であってチェーン２２に接触しない非接触な状態で、駆動中の回動している状態のチェーン２２の振動数を検出する。非接触であるため、検出部１１０は、エスカレータ１０の運転中にチェーン２２の振動数を検出することが可能である。検出部１１０は、検出した振動数を制御部１１１に出力する。検出部１１０によるチェーン２２の振動数の検出方法についての詳細は、後述する。
【００２２】
制御部１１１は、検出部１１０が出力したチェーンの振動数をチェーン２２の張力に変換する。図４（ａ）は弦（チェーン）の振動数と弦（チェーン）の張力との関係を示すグラフ図、図４（ｂ）は弦（チェーン）の振動数と弦（チェーン）の密度（サイズ）との関係を示すグラフ図、図４（ｃ）は弦（チェーン）の振動数と弦（チェーン）の長さとの関係を示すグラフ図である。ここで、弦（チェーン）の振動数とは、単位時間当たりの弦（チェーン）の振動する回数（すなわち、振動周波数）を意味する。弦の張力と弦の振動数の関係は、図４に示す関係等に基づいて、次の式１により表される。
Ｔ＝４ｆ２Ｌ２／ρ      （式１）
Ｔ：張力（ｋｇ・ｍ／ｓ２：キログラムメートル毎秒毎秒）
Ｌ：弦の長さ（ｍ：メートル）
ｆ：振動数（Ｈｚ）
ρ：弦の密度（ｋｇ／ｍ：キログラム毎メートル）
ここで、上記式１を、図２に示す２つのスプロケット３１ａ，３１ｂに巻掛けされて回動するチェーン２２に当てはめて考える。弦の長さＬは、チェーン２２の張り側でありチェーンの振動する部分の長さである。すなわち、弦の長さＬは、スプロケットの軸間距離であるスプロケット３１ａの軸の略中心点ＯＡとスプロケット３１ｂの軸の略中心点ＯＢとの距離Ｌ（例えば、単位はｍ（メートル））となり、エスカレータ１０において一定である。
【００２３】
弦の密度ρは、チェーン２２の単位長さ当たりの重さを示すチェーンの密度ρ（例えば、単位はｋｇ／ｍ（キログラム毎メートル））である。チェーンの密度ρは、エスカレータ１０が使用するチェーン２２のチェーンサイズにより一定である。したがって、制御部１１１は、この２つの定数（チェーンの長さＬおよびチェーンの密度ρ）をエスカレータの機種毎に設定することにより、検出部１１０により得られた振動数ｆ（単位はＨｚ）から式１を用いて容易にチェーンの張力Ｔ（例えば、単位はｋｇ・ｍ／ｓ２（キログラムメートル毎秒毎秒）あるいはＮ（ニュートン））を求めることができる。制御部１１１の機能は、例えば、基板に設置されたマイクロコンピュータ回路等で実現される。
【００２４】
このように、制御部１１１は、チェーン２２の単位時間当たりの振動数（ｆ）と、チェーン２２の単位長さ当たりの重さを示すチェーンの密度（ρ）と、チェーン２２の振動する部分の長さ（Ｌ）とを上記式１に代入することにより、チェーン２２の張力（Ｔ）を算出する。制御部１１１は、算出したチェーン２２の張力Ｔを記録部１１２に出力する。
【００２５】
記録部１１２は、制御部１１１が出力したチェーン２２の張力Ｔを記録する。記録部１１２は、制御部１１１が出力したチェーン２２の張力Ｔをフラッシュメモリ等のメモリ回路に記憶する。記録部１１２は、例えば、定期的にチェーン２２の張力Ｔを記録し、チェーン２２の張力Ｔの履歴を取ることにより、エスカレータ１０の駆動時におけるチェーン２２の張力推移情報を記録する。
【００２６】
また、制御部１１１は、チェーン張力測定装置１００に接続された表示装置等の出力部２２０に、エスカレータ１０の駆動時におけるチェーン２２の張力推移情報を出力する。表示装置等の出力部２２０にチェーン２２の張力推移情報が出力されることにより、エスカレータ１０の管理者等が容易にエスカレータ１０の手摺の状況を把握することができ、エスカレータ１０の安全性の向上を図ることができる。
【００２７】
また、制御部１１１は、算出したチェーンの張力が異常値であるか否かを例えばマイクロコンピュータ回路等を用いて判定し、異常値である場合には、異常を通知する異常通知信号をエスカレータ制御部２１０に出力する。例えば、制御部１１１は、エスカレータ１０の駆動時におけるチェーン２２の張力Ｔに異常値が検出された場合には、エスカレータ１０を停止させるための異常停止信号（異常通知信号）をエスカレータ１０の制御処理を司るエスカレータ制御部２１０に出力する。エスカレータ制御部２１０は、異常停止信号を入力した場合にエスカレータ１０を停止させる。
【００２８】
手摺を駆動しているチェーン２２（手摺駆動チェーン）の張力が高いということは、移動手摺の走行抵抗（負荷）が高いことを意味するので、チェーン２２（手摺駆動チェーン）の張力を測定し監視することは、移動手摺の走行抵抗（負荷）を測定し監視することを意味する。チェーン張力測定装置１００を用いて、チェーン２２の振動数（振動周波数）からチェーン２２の張力（移動手摺の走行抵抗（負荷））を算出させることにより、チェーン２２の張力（移動手摺の走行抵抗（負荷））が任意の一定値をオーバーしている場合は、何らかの問題が発生したのではないかと判断することができる。
【００２９】
管理者は、問題のない正常時におけるエスカレータ１０の乗客がないときのチェーン２２の張力として、例えば、エスカレータ１０の稼働前の試運転時等に予めチェーンの張力を測定してその値を基準値情報として記憶装置に記憶しておく。すなわち、基準値情報はチェーンの張力の初期値ともいえる値である。制御部１１１は、エスカレータ１０の稼働後の通常運転時において測定した乗客がないときのチェーン２２の張力と記憶装置に記憶した基準値情報とをマイクロコンピュータ回路（処理装置）等を用いて比較し、比較情報を表示装置等の出力部２２０に出力する。管理者は、表示装置に出力された比較情報に基づいて、エスカレータ１０のチェーン２２の張力が基準値情報より大きくなっている場合等に、移動手摺内面のキャンバス部分に磨耗や損傷が発生して走行抵抗が増大しているのではないか、移動手摺を案内する手摺ガイドに磨耗や損傷が発生して走行抵抗が増大しているのではないか、など走行抵抗（負荷）の増大の要因を推測することでき、速やかに保守会社等による点検、部品の交換などを行って問題を解決することができる。
【００３０】
また、あるいは、制御部１１１は、記憶装置に記憶した基準値情報に基づいて設定されたチェーン張力の異常を判定するための異常値閾値情報を記憶装置に記憶する。そして、制御部１１１は、エスカレータ１０の通常運転時のチェーン張力測定処理において算出したチェーン２２の張力（移動手摺の走行抵抗（負荷））と異常値閾値情報とを、定期的にマイクロコンピュータ回路等を用いて比較し、チェーン２２の張力が異常値閾値情報よりも大きい場合は異常値であると判断し、異常を通知する異常通知信号をエスカレータ制御部２１０に出力する。エスカレータ制御部２１０は、入力した異常通知信号に基づいて、エスカレータ１０を停止させたり、警報を出す等の処理を行う。
【００３１】
図５は、実施の形態１に係るチェーン張力測定装置１００の検出部１１０の詳細図である。図５を用いて、検出部１１０の詳細について説明する。
【００３２】
図５に示すように、検出部１１０は、チェーン２２の張り側に設置され磁石１１ｂとそれを取り巻くコイル１１ａによりチェーン２２の振動数を検出する。すなわち、磁石１１ｂとコイル１１ａとの組み合わせによりチェーン２２の振動数を検出する。検出部１１０は、チェーン２２の振動によってチェーン２２がコイル１１ａとの距離を変えることによりコイル１１ａに発生する電位に基づいて、チェーン２２の振動数を検出する。
【００３３】
図５に示すように、磁石１１ｂの近傍で回動（回転）しているチェーン２２が上下に振動することにより磁石１１ｂに近づいたり、遠ざかったりすると、チェーン２２が吸引する磁力が変化するため、磁石１１ｂに巻かれたコイル１１ａに電位が発生する。
【００３４】
チェーン２２は、張力が小さい場合には上下に大きく振動し、単位時間当たりの振動の回数である振動数は小さくなる。このとき、チェーン２２と磁石１１ｂとの距離の変化が大きいため、磁石１１ｂの磁力に対するチェーン２２の影響も大きくなり、コイル１１ａに発生する電位も大きくなる。すなわち、振動数が小さい場合には、コイル１１ａに発生する電位は大きくなる。また、チェーン２２は、張力が大きい場合にはチェーン２２が強く張っているので上下に小さく（細かく）振動し、単位時間当たりの振動の回数である振動数は大きくなる。このとき、チェーン２２と磁石１１ｂとの距離の変化が小さいため、磁石１１ｂの磁力に対するチェーン２２の影響は小さくなり、コイル１１ａに発生する電位は小さくなる。すなわち、振動数が大きい場合には、コイル１１ａに発生する電位は小さくなる。
【００３５】
例えば、利用者は、チェーン２２の振動数とコイル１１ａに発生する電位とを予め測定し、測定により求めたチェーン２２の振動数とコイル１１ａに発生する電位との関係を振動数電位変換情報として記憶装置等に記憶させる。検出部１１０では、予め記憶されている振動数電位変換情報に基づいて、コイル１１ａに発生した電位からチェーン２２の振動数を検出することができる。また、検出部１１０は、コイル１１ａに発生する電位を制御部１１１に出力する処理のみを行い、制御部１１１が、記憶装置に記憶されている振動数電位変換情報に基づいて、コイル１１ａに発生した電位からチェーン２２の振動数を検出してもよい。
【００３６】
このように、検出部１１０では、コイル１１ａに発生する電位を電気信号として、チェーン２２の振動数（振動周波数）が測定でき、制御部１１１では、振動数（振動周波数）からチェーン２２の張力、および負荷を演算できる。
【００３７】
図６は、実施の形態１に係るチェーン張力測定装置１００の設置位置の一例を示す図である。図７は、実施の形態１に係るチェーン張力測定装置１００の設置位置の一例を示す図である。図６、図７を用いて、チェーン張力測定装置１００の設置例について説明する。
【００３８】
上述したような構成によるチェーン張力測定装置１００によれば、チェーン２２の張力の検出部分（検出部１１０）はチェーン２２に非接触とすることができる。図６（ａ）に示すように、駆動側のスプロケット３１ａがＰ方向回転の場合は、チェーン２２の上側がチェーンの張り側となるので１ｐの位置に設置されたチェーン張力測定装置１００がチェーン２２の張力を測定する。チェーン２２の駆動方向が通常一方向で一定であるエスカレータ１０の場合はチェーン２２の張り側となる１箇所にチェーン張力測定装置１００を設置しても良い。図６（ｂ）にしめすように、駆動側のスプロケット３１ａがＱ方向回転になった場合は、チェーン２２の下側がチェーンの張り側となり、１ｑの位置に設置されたチェーン張力測定装置１００がチェーン２２の張力を測定する。このように、チェーン２２を逆回転させる可能性のあるエスカレータ１０の場合は、図６（ｂ）に示すように２箇所にチェーン張力測定装置１００を設置すると良い。
【００３９】
チェーン張力測定装置１００は、測定したいチェーン２２の張り側の中間位置に固定設置して常時チェーン張力（負荷）を検出させることができる。図６（ｂ）に示すような２箇所（１ｐ，１ｑ）に設置すれば、例えば、チェーン２２が逆回転すると同時に、稼働していた１ｐの位置のチェーン張力測定装置１００から１ｑの位置のチェーン張力測定装置１００に電源を切り替える等して稼働を切り替えることにより、常時チェーン張力（負荷）を検出することができる。
【００４０】
また、チェーン張力測定装置１００を持ち運びが容易なポータブル式に構成すれば、必要なときにチェーン張力測定装置１００の検出部１１０をチェーン２２の測定したい箇所部分に近づけて測定することも可能となる。チェーン張力測定装置１００の持ち運び可能な検出部分（検出部１１０）は上述のように非接触でかつチェーンの中間部分の一定の位置にあればよいので、取り付け位置が限定されないため、あらかじめ取り付けておく必要も無く既存のエスカレータに一時的に取り付けて張力を測定するという方法も考えられる。あるいは、チェーン張力測定装置１００の検出部１１０のみを持ち運ぶことができるポータブルタイプとし、制御部１１１及び記録部１１２とケーブルにより接続するように構成しても良い。
【００４１】
図７は、チェーン張力測定装置１００の他の設置例を示したものである。図７に示すように、駆動側のスプロケット３１ａがＱ方向回転している場合は、巻掛けされている環状のチェーン２２の下側部分がチェーンの張り側となり、環状のチェーン２２の上側部分がチェーン２２のたるみ側となる。この場合、図６（ａ）（ｂ）に示す１ｐ位置にチェーン張力測定装置１００が設置されていると、チェーン２２の上側部分のたるみにより、チェーン２２とチェーン張力測定装置１００が接触してしまい、故障や異音発生の原因となってしまう虞がある。図７では、チェーン２２の上側部分に設置するチェーン張力測定装置１００は、１ｒの位置（すなわち、チェーン２２の上方）に設置することによりチェーン２２のたるみによる接触を避けることができる。このように、エスカレータ１０を逆方向に運転することを考えると図７に示すように設定することも可能である。
【００４２】
以上、実施の形態１に係るチェーン張力測定装置１００について説明したが、エスカレータ１０（乗客コンベア）においては、チェーン２２（手摺駆動チェーン）以外にもチェーンで動力を伝達させる箇所は他にもある。実施の形態１に係るチェーン張力測定装置１００によれば、チェーン２２（手摺駆動チェーン）以外のチェーンの駆動箇所においても、チェーンの振動数を測定することでチェーンの張力（手摺の負荷）の算出が可能である。また、実施の形態１に係るチェーン張力測定装置１００によれば、コンパクトな大きさの測定装置を提供することができるので、比較的小規模の駆動チェーンについても、チェーンの張力を算出することができる。
【００４３】
本実施の形態では、以下のようなチェーン張力測定装置１００及びエスカレータ１０のチェーン張力測定方法について説明した。
【００４４】
本実施の形態に係るチェーン張力測定装置１００は、エスカレータ１０（乗客コンベア）のチェーン張力測定装置１００であって、少なくとも一対のスプロケットの間に巻回（巻掛け）されるチェーンと、チェーンの走行方向と交差する方向に設置された駆動チェーン（チェーンの張り側部分のチェーン）の振動数を検出する検出手段（検出部１１０）を設置したことを特徴とする。
【００４５】
本実施の形態に係るチェーン張力測定装置１００において、駆動チェーンの振動数を検出する検出手段（検出部１１０）は、磁石１１ｂとコイル１１ａによって構成されていることを特徴とする。
【００４６】
本実施の形態に係るチェーン張力測定装置１００において、エスカレータ１０（乗客コンベア）の駆動時の張力推移情報を記録部１１２に出力することを特徴とする。
【００４７】
本実施の形態に係るチェーン張力測定装置１００において、エスカレータ１０（乗客コンベア）の駆動時の張力に異常値が検出された場合にエスカレータ１０（乗客コンベア）を停止させる信号を出力することを特徴とする。
【００４８】
本実施の形態に係るチェーン張力測定装置１００において、検出手段（振動数測定手段）（検出部１１０）は持ち運ぶことができるポータブルタイプであり、既存のエスカレータ１０（乗客コンベア）のチェーン張力も測定（算出）し記録部１１２に出力することを特徴とする。
【００４９】
本実施の形態に係るエスカレータ１０（乗客コンベア）は、エスカレータ１０（乗客コンベア）に使用される２つのスプロケットに巻掛けされて回動するチェーン２２に対し、チェーン張力測定装置１００を用いて、チェーン２２の張力を測定することを特徴とする。
【００５０】
本実施の形態に係るチェーン張力測定装置１００によれば、エスカレータ１０の運転中にチェーン（手摺駆動チェーン）の振動数を測定しチェーン張力が測定（算出）でき、同時に即時的に手摺１２の走行抵抗を計ることができる。そして、本実施の形態に係るチェーン張力測定装置１００によれば、算出した走行抵抗（チェーン張力）を時事系列で記録することにより平均走行抵抗（平均チェーン張力）及びピーク時の走行抵抗（ピーク時のチェーン張力）がわかるため、チェーン及び手摺の劣化予想や交換時期の予想に役立てることができる。
【００５１】
本実施の形態に係るチェーン張力測定装置１００によれば、エスカレータの手摺駆動チェーンに適用される金属製のチェーンの振動を非接触で測定することができ、エスカレータまたは動く歩道などの手摺駆動チェーンの張力を運転中に測定（算出）し、チェーンにかかる負荷つまり乗客コンベアの手摺にかかる負荷を測定（算出）することができる。
【図面の簡単な説明】
【００５２】
【図１】エスカレータ（乗客コンベア）の手摺駆動装置の概略構造を示す図である。
【図２】実施の形態１に係るチェーン張力測定装置１００の設置形態の一例を示す図である。
【図３】実施の形態１に係るチェーン張力測定装置１００の機能ブロックを示す機能ブロック図である。
【図４】（ａ）は振動数とチェーン張力の関係を示すグラフ図、（ｂ）は振動数とチェーンサイズの関係を示すグラフ図、（ｃ）は振動数とチェーンの長さの関係を示すグラフ図である。
【図５】実施の形態１に係るチェーン張力測定装置１００の検出部１１０の詳細図である。
【図６】実施の形態１に係るチェーン張力測定装置１００の設置位置の一例を示す図である。
【図７】実施の形態１に係るチェーン張力測定装置１００の設置位置の一例を示す図である。
【符号の説明】
【００５３】
１０  エスカレータ、１１ａ  コイル、１１ｂ  磁石、１２  手摺、１４  手摺駆動装置、１６  駆動電動機、１６ａ  スプロケット、１８  駆動チェーン、２０  減速機、２０ａ，３１ａ，３１ｂ  スプロケット、２２  チェーン、２４  手摺駆動部、２４ａ  駆動ローラ、２４ｂ  スプロケット、２４ｃ  駆動ローラチェーン、２６  中間歯車、２８  機械室、３０  外装面、３２  構造材横部材、３３  構造材縦部材、３４  付け腕、３５  ケーブル、１００  チェーン張力測定装置、１１０  検出部、１１１  制御部、１１２  記録部、２１０  エスカレータ制御部、２２０  出力部。
【図１】
2009227363.tif 000003
【図２】
2009227363.tif 000004
【図３】
2009227363.tif 000005
【図４】
2009227363.tif 000006
【図５】
2009227363.tif 000007
【図６】
2009227363.tif 000008
【図７】
2009227363.tif 000009